(57)【要約】【課題】  携帯性に優れ、簡単に操作可能な電子本を実現する。【解決手段】  携帯電話端末５内の傾き検知センサを利用して、傾きに従って電子ペーパー１の表示部２の表示内容を切り替えることができる。例えば、傾き検知センサにより測定された傾き角度が一定値以上になった傾き方向を検知し、その傾きの方向が右ならば次ページを表示し、左ならば前ページを表示する。また、傾き方向が前ならば指定ページ数先を表示し、後ろならば指定ページ数前を表示する。【選択図】  図１
2005165760.tif 000002
【特許請求の範囲】
【請求項１】
通信により情報を受信する携帯通信機器と、上記携帯通信機器により受信された情報を電子的に表示するとともに、当該表示内容が保持可能であり、また、電子的に書き換え可能である表示装置とを備えた表示システムであって、
上記表示装置又は上記携帯通信機器は傾き検知センサを備え、上記傾き検知センサにより測定された傾き角度が一定値以上になった傾き方向を検知し、その傾きの方向によって上記表示装置の表示内容を変更することを特徴とする表示システム。
【請求項２】
上記傾き方向が右ならば次ページを表示し、左ならば前ページを表示することを特徴とする請求項１に記載の表示システム。
【請求項３】
上記傾き方向が前ならば指定ページ数先を表示し、後ろならば指定ページ数前を表示することを特徴とする請求項１又は２に記載の表示システム。
【請求項４】
上記表示装置に表示中のページをマークするためのマーク指示手段を備え、上記傾き検知センサにより測定された傾き角度が一定値以上になった傾き方向を検知し、その傾きの方向によって上記表示装置の表示をマークされたページに変更することを特徴とする請求項１に記載の表示システム。
【請求項５】
上記傾き方向が前ならばマークされた先のページを表示し、後ろならばマークされた前のページを表示することを特徴とする請求項４に記載の表示システム。
【請求項６】
上記情報を表示可能に保持するメモリを備えたことを特徴とする請求項１〜５のいずれか１項に記載の表示システム。
【請求項７】
上記メモリには複数の情報を保持し、これら複数の情報を切り替えて表示する表示切替手段を備えたことを特徴とする請求項６に記載の表示システム。
【請求項８】
上記表示装置は電子ペーパーにより構成されることを特徴とする請求項１〜７のいずれか１項に記載の表示システム。
【請求項９】
通信により情報を受信して、その情報を表示手段に電子的に表示するとともに、当該表示内容が保持可能であり、また、電子的に書き換え可能である携帯通信機器であって、
傾き検知センサと、
上記傾き検知センサにより測定された傾き角度が一定値以上になった傾き方向を検知し、その傾きの方向によって上記表示手段の表示内容を変更する制御手段を備えたことを特徴とする携帯通信機器。
【請求項１０】
情報を電子的に表示するとともに、当該表示内容が保持可能であり、また、電子的に書き換え可能である表示装置であって、
傾き検知センサと、
上記傾き検知センサにより測定された傾き角度が一定値以上になった傾き方向を検知し、その傾きの方向によって上記表示装置の表示内容を変更する制御手段を備えたことを特徴とする表示装置。
【請求項１１】
情報を電子的に表示するとともに、当該表示内容が保持可能であり、また、電子的に書き換え可能である表示手段を用いた表示を行うためのコンピュータプログラムであって、
傾き検知センサを利用して測定された傾き角度が一定値以上になった傾き方向を検知し、その傾きの方向によって上記表示装置の表示内容を変更する処理をコンピュータに実行させることを特徴とするコンピュータプログラム。
【請求項１２】
請求項１１に記載のコンピュータプログラムを記録したことを特徴とするコンピュータ読み取り可能な記録媒体。
【発明の詳細な説明】
【技術分野】
【０００１】
本発明は、電子本として利用するのに好適な表示システム、携帯通信機器、表示装置、コンピュータプログラム、及びコンピュータ読み取り可能な記録媒体に関する。
【背景技術】
【０００２】
本として代表的なものとして、通常の紙でできたものが存在し、栞等を利用して必要なページに一気に飛ぶことができる。
【０００３】
また、電子本として、ＰＣ（パーソナルコンピュータ）や携帯電話端末を用いたものが一般的に存在する。その場合、ユーザインタフェースとしては、キー入力やボタンやタッチパネルが利用されている。また、表示装置としては、近年では電子ペーパーを用いるものが多く提案されているが、そのユーザインタフェースは、接続されたＰＣを経由したり、表示装置のボタンやタッチパネルを利用したりしている。
【０００４】
しかしながら、これらの方法では、次のような問題点があった。
（１）ＰＣを用いたものは、重いシステムになり、キー入力等では片手で操作するのは、困難である。
（２）携帯電話端末を用いたものは、表示画面が小さくあまり見やすくない。
（３）通常の本では、紙面の枚数以上の情報を載せることができない。
（４）通常の本では、媒体(紙)の再利用はできない。
（５）通常の本では、何箇所も栞を置くのは困難である。
（６）通常の本で、端を折り曲げてマークすると本が汚くなる。
（７）単に表示装置として電子ペーパーを用いたものは、キー入力等では片手で操作するのは、困難である。
【０００５】
【特許文献１】特開２０００−１４８１１６号公報
【特許文献２】特開２０００−３１５１２７号公報
【特許文献３】特開平２−２５４４２０号公報
【発明の開示】
【発明が解決しようとする課題】
【０００６】
上述のように、従来において上述のような種々な問題点があり、携帯性に優れ、簡単に操作可能な電子本を実現することが望まれている。
【０００７】
本発明は上記のような点に鑑みてなされたものであり、携帯性に優れ、簡単に操作可能な電子本を実現することを目的とする。
【課題を解決するための手段】
【０００８】
本発明の表示システムは、通信により情報を受信する携帯通信機器と、上記携帯通信機器により受信された情報を電子的に表示するとともに、当該表示内容が保持可能であり、また、電子的に書き換え可能である表示装置とを備えた表示システムであって、上記表示装置又は上記携帯通信機器は傾き検知センサを備え、上記傾き検知センサにより測定された傾き角度が一定値以上になった傾き方向を検知し、その傾きの方向によって上記表示装置の表示内容を変更する点に特徴を有する。
また、本発明の表示システムの他の特徴とするところは、上記傾き方向が右ならば次ページを表示し、左ならば前ページを表示する点にある。
また、本発明の表示システムの他の特徴とするところは、上記傾き方向が前ならば指定ページ数先を表示し、後ろならば指定ページ数前を表示する点にある。
また、本発明の表示システムの他の特徴とするところは、上記表示装置に表示中のページをマークするためのマーク指示手段を備え、上記傾き検知センサにより測定された傾き角度が一定値以上になった傾き方向を検知し、その傾きの方向によって上記表示装置の表示をマークされたページに変更する点にある。
また、本発明の表示システムの他の特徴とするところは、上記傾き方向が前ならばマークされた先のページを表示し、後ろならばマークされた前のページを表示する点にある。
また、本発明の表示システムの他の特徴とするところは、上記情報を表示可能に保持するメモリを備えた点にある。
また、本発明の表示システムの他の特徴とするところは、上記メモリには複数の情報を保持し、これら複数の情報を切り替えて表示する表示切替手段を備えた点にある。
また、本発明の表示システムの他の特徴とするところは、上記表示装置は電子ペーパーにより構成される点にある。
本発明の携帯通信機器は、通信により情報を受信して、その情報を表示手段に電子的に表示するとともに、当該表示内容が保持可能であり、また、電子的に書き換え可能である携帯通信機器であって、傾き検知センサと、上記傾き検知センサにより測定された傾き角度が一定値以上になった傾き方向を検知し、その傾きの方向によって上記表示手段の表示内容を変更する制御手段を備えた点に特徴を有する。
本発明の表示装置は、情報を電子的に表示するとともに、当該表示内容が保持可能であり、また、電子的に書き換え可能である表示装置であって、傾き検知センサと、上記傾き検知センサにより測定された傾き角度が一定値以上になった傾き方向を検知し、その傾きの方向によって上記表示装置の表示内容を変更する制御手段を備えた点に特徴を有する。
本発明のコンピュータプログラムは、情報を電子的に表示するとともに、当該表示内容が保持可能であり、また、電子的に書き換え可能である表示手段を用いた表示を行うためのコンピュータプログラムであって、傾き検知センサを利用して測定された傾き角度が一定値以上になった傾き方向を検知し、その傾きの方向によって上記表示装置の表示内容を変更する処理をコンピュータに実行させる点に特徴を有する。
本発明のコンピュータ読み取り可能な記録媒体は上記本発明のコンピュータプログラムを記録した点に特徴を有する。
【０００９】
このような構成によれば、ユーザにとって把握が容易な携帯電話端末等の携帯通信端末本体や表示装置の傾き方向を基準とすることにより、ユーザは片手で容易にページ切り替えが可能となり、利便性が向上する。
【００１０】
また、表示内容が保持可能であるようにする手段としては、例えば後述する電子ペーパーで用いられているようなメモリ性を有する表示素子を用いて構成することができる。なお、表示装置や表示手段による表示内容の保持は、無電力で行われる構成が用いられるのが好ましいが、例えば電池やバッテリ等の電力を用いて行われる構成が用いられてもよい。
【００１１】
また、本発明に係る表示装置は、情報を表示可能に保持するメモリを備えるので、例えば多量な情報をメモリにより保持して、必要に応じてその一部の情報を表示することができるため、表示体により保持される情報量の向上等を図ることができる。
【００１２】
なお、情報を受け付ける手段としては、種々なものであってもよく、例えばユーザにより操作されるキーボタン等や、外部の装置や外部の記憶媒体から情報を受け付けるインタフェース等から構成することができる。また、受け付けた情報を保持する態様としては、メモリにより保持する態様ばかりでなく、例えば表示装置により表示保持することも可能である。
【００１３】
ここで、上記のように、本発明に係る表示装置としては、例えば紙のような画面に情報を電子的に表示出力する電子ペーパーが用いられるのが好ましく、このような電子ペーパーとしては、例えば特許文献１に記載された表示装置のようなものや、特許文献２に記載されたドキュメントビューワ装置のようなものを用いて構成することが可能である。
【００１４】
特許文献１に記載された表示装置では、例えばモノクロ２階調の強誘電性液晶から構成されて電気的に書き換え可能な表示手段を備えて、当該表示手段に表示出力させる情報を必要な時に書き換える一方、書き換えが終了した後には電源供給を停止させて表示手段上の情報をそのまま表示出力させておくことが可能であり、低消費電力化等の効果を実現することができる。なお、強誘電性液晶はメモリ性を有しており、電力の供給を受けなくても表示内容を保持することができる一方、表示内容を電気的に書き換えることも可能な性質を有している。また、このようなメモリ性を有する表示手段としては、例えばカラー強誘電性液晶や例えば特開平２−２５４４２０号公報に記載されたコレステリック液晶等の液晶から構成することもでき、また、液晶でなくとも、例えば電気泳動や磁気誘導等のメモリ性を利用して構成することも可能である。
【００１５】
また、上記文献２に記載されたドキュメントビューワ装置では、例えば複数画面分の表示情報を記憶することが可能な記憶手段やメモリ性を有する表示装置を備えて、記憶手段に記憶されている表示情報を各画面毎に切り替えて表示装置に表示出力させることができ、そして、このような表示画面の変更時には電力供給を行って当該変更を実行する一方、表示画面の変更が終了した後には電源供給を停止させることにより、低消費電力化等の効果を実現することができる。
【００１６】
なお、電子ペーパーとしては、例えば情報を表示用データの形で格納するＶＲＡＭ（Video Random Access Memory）等を用いてＯＳ（Operating System）を介在しないで情報を画面に表示出力する機能を有したものを用いるのも好ましい。また、上述のように、表示内容を保持する媒体としては、例えば無電源で表示内容を保持するものが用いられるのが好ましいが、例えば太陽電池等の電源を備えて当該電源の電力により表示内容を保持するものが用いられてもよい。
【００１７】
以上に示したような電子ペーパーでは、例えば電子の速報性という特徴と、紙ドキュメントのどこでもいつでも即座に見ることができ且つ使い易いという特徴との両方の効果を発揮することができて好ましい。
【発明の効果】
【００１８】
本発明によれば、ページをめくる際に、キー操作等の煩雑なオペレーションを行わず、傾けるといった片手でできる簡単な操作で可能になるだけでなく、進む/戻す/もっと先に進む/もっと戻すといった操作を人間の直感に近い傾き方向で指示することができる。特に電子ペーパーを用いる場合には、その軽さ、見易さ、表示の記憶性といったものをさらに活かすことができる。さらに、電子栞といえるマーク機能を用いれば、単なる文書データを自分専用のマーキングされたデータベース化が可能になるので、ユーザの利便性を大幅に向上できる。
【発明を実施するための最良の形態】
【００１９】
以下、添付図面を参照して、本発明の好適な実施形態について説明する。
（第１の実施形態）
図１には、本発明を適用した表示システムの具体的な実施態様を示す図であり、携帯電話端末５等の携帯通信機器を利用して電子文章を表示した電子ペーパー１の外観例を示す。同図に示すように、電子ペーパー１には、文書情報を表示出力する表示部（画面）２と、画面２の表示をＯＮ/ＯＦＦする表示ボタン３と、外部との間で情報を通信する機能を有した携帯電話端末５との間で文書情報を受信する外部接続端子４が備えられている。
【００２０】
上述のように、例えば外部接続端子４を介して電子ペーパー１に入力される文書情報は、内部のメモリ内に記憶されるとともに、表示部２に表示される。ここで、この例では、後述する携帯電話端末５内の傾き検知センサを利用して、傾きに従って表示部２の表示内容を切り替えることが可能である。
【００２１】
以上のように、この例では、電子ペーパー１に携帯電話端末５を用いた外部との通信機能を備えることで、外部から情報を受信することができるようにしたが、例えば電子ペーパー１自体に携帯電話端末５と同様な通信機能を備えた構成とすれば、電子ペーパー１と外部の携帯電話端末やパーソナルコンピュータ（ＰＣ：Personal Computer）等とを接続しなくとも、上記と同様な各種の通信処理を実行することが可能となる。
【００２２】
図２には、電子ペーパー１のハードウエア構成の一例を示す。同図を用いて、本例により行われるデータ処理の概要を説明する。同図に示すように、電子ペーパー１には、外部との間で信号（情報）を受信する外部接続端子９７、電子的に表示した表示内容を保持することが可能であるとともに表示内容が電子的に書き換え可能な表示デバイス９１、表示デバイス９１による表示処理を制御する表示制御部９２、ユーザからの指示等を受け付けるボタンから成るボタン部９３、所定の制御プログラム等を記憶したＲＯＭ９６、情報を記憶して保持するＲＡＭ９５、例えば予め設定された制御プログラムに従って各種の処理を実行するＣＰＵ（Central Processing Unit）９４が備えられている。
【００２３】
かかる構成からなる本例の表示システムでは、例えば文書情報のデータが有線（有線通信による信号）や無線（無線通信による信号）により外部から外部接続端子９７を介して入力され、入力される情報がＲＯＭ９６の制御プログラムに従ってＣＰＵ９４を経由してＲＡＭ９５に書き込まれる。なお、例えば外部接続端子９７から入力される情報が直接的にＲＡＭ９５に書き込まれる構成とすることもできる。
【００２４】
また、ＲＡＭ９５に書き込まれた情報は、例えばユーザがボタン部９３を押すことで、表示処理を制御する表示制御部９２に従って表示デバイス９１の画面に表示出力される。具体例として、ＲＡＭ９５に書き込まれた内容情報についても、例えばユーザからの要求に従って表示デバイス９１の画面に表示出力される。また、例えばユーザからの要求に従って、新たな情報を有線や無線の通信手段により入手してＲＡＭ９５に記憶することもでき、このようにして記憶された情報についても表示デバイス９１により表示出力させることができる。
【００２５】
また、例えば後述の傾き検知センサを用いてユーザにより追記される情報（傾き方向に基づいたページ情報）を外部接続端子９７を介してＲＡＭ９５に記憶することもでき、このようにして記憶された情報についても表示デバイス９１により表示出力させることができる。
【００２６】
以上のように、本例の電子ペーパー１では、メモリ性を有して電子的に書き換え可能な表示媒体を用いて文書表示を行う表示部（画面）が構成されており、必要に応じて表示部上に表示される表示内容を変更することができる。なお、表示内容の変更の仕方としては、例えばＲＡＭ９５により保持される複数の情報の中から表示させる情報を切り替える方式、或いは、例えば外部から（ＲＡＭ９５を介さずに）表示内容を書き換える方式を用いることができる。
【００２７】
また、本例の電子ペーパー１では、そのメモリに複数ページ分の情報や複数種類の情報を保持させて外部接続から受信しないで表示することが可能であるため、例えば従来の紙による本ような大量の情報を一度に送ることも可能となって便利である。
【００２８】
図３には、携帯電話端末５のハードウエア構成の一例を示す。同図に示すように、携帯電話端末５は、データ記憶部１０と、無線部２０と、アンテナ３０と、入力部４０と、データ転送部５０と、傾き検知センサ６０と、制御部７０と、設定値記憶部８０とを設けている。ここで、データ記憶部１０は、無線部２０及びアンテナ３０を介して送受信された通信情報、又は、入力部４０により入力された登録用携帯電話番号（メモリダイヤル）等のデータを記憶する。
【００２９】
データ転送部５０は、外部表示部（電子ペーパー等）にデータを転送するのに使用され、データ記憶部１０に記憶されたデータや交信中の通信情報等を転送する。
【００３０】
傾き検知センサ６０は、携帯電話端末５本体の傾き角度を測定するセンサとして、全方向検知センサ又は一方向検知センサを用いる。このうち、全方向センサには、ジャイロ式のセンサを、また、一方向センサには、ポテンショメータ式、トルクバランス式等のセンサを用いることができる。ただし、本実施形態においては、外部表示部に対して、水平縦方向及び水平横方向の二方向を検知するため、一方向センサにより測定する場合は、検知方向毎に該センサを設ける。
【００３１】
設定値記憶部８０は、後述するように、携帯電話端末５本体の傾き角度の大きさ、又は、飛ばすページ数の設定値や容量に余裕があれば、現在表示しているページの前後を情報も記憶する。また、設定値記憶部８０は、端末本体の傾き角度が方向検知に値するか否かを判断するための閾値を記憶する。
【００３２】
制御部７０は、傾き検知センサ６０において測定された検知結果信号、設定値記憶部８０において記憶された閾値に基づいて、傾き方向を検知するか否かを決定し、検知した場合は傾き方向に基づいて、右（Ｙ方向の+）なら、次のページデータをセットアップし、左（Ｙ方向の-）なら、前のページデータをセットアップし、設定値記憶部８０において記憶された飛び数に基づいて、前（Ｘ方向+）なら、飛び数分先のページデータをセットアップし、後ろ（Ｘ方向-）なら、飛び数分前のページデータをセットアップする。制御部７０は、セットアップ完了後にデータ転送部５０にページデータを送る。
【００３３】
図４は、本実施形態の携帯電話端末５の傾き方向を示す外観斜視図である。なお、傾き検知センサ６０には、携帯電話端末５の正面に対する水平縦方向（Ｘ方向）の変位を測定するＸ方向センサ６１と、水平横方向（Ｙ方向）を測定するＹ方向センサ６２と、垂直方向（Ｚ方向）を測定するＺ方向センサ６３とを設けている。制御部７０は、各方向センサ６１〜６３のそれぞれにおいて測定された変位の信号に基づいて、図４に示した端末本体の正面に対する垂直方向を軸として回転する方向への変位又は回転角度を算出する。また、制御部７０は、算出した変位又は回転角度に基づいて、傾き方向を決定する。
【００３４】
次に、図５のフローチャートを参照して、本実施形態の表示システムの動作について説明する。（ステップＳ５００）においてユーザの操作により表示ボタン３が押下されると、表示部２に初期画面が表示され、外部接続端子４から携帯電話端末５に起動が通知され、外部接続端子４からのデータ待ちになる。起動を受けた携帯電話端末５は、制御部７０で現ページをバックアップがあれば、そのページを設定し、なければ、最初のページに設定する。また、制御部７０から傾き検知センサ６０に検知開始信号が送信されて、端末本体の傾きの検知が開始される。
【００３５】
（ステップＳ５０１）では、傾き検知センサ６０により、該本体の傾き前の状態を基準として傾き角度及び傾き方向が検知され、検知されれば（ステップＳ５０２）へ、されなければ（ステップＳ５１０）へ進む。
【００３６】
（ステップＳ５０２）では、制御部７０において検知結果信号の内容のうち傾き角度が、設定値記憶部８０に記憶された閾値より大きいか否かが判断される。判断の結果、閾値より小さいと判断された場合は（ステップＳ５１０）へ、閾値より大きいと判断された場合は、さらに傾き方向が確認される（ステップＳ５０３）へ進む。
【００３７】
（ステップＳ５０３）では、傾きがＹ方向ならば（ステップＳ５０４）へ、傾きがＸ方向ならば（ステップＳ５０７）へ進む。
【００３８】
（ステップＳ５０４）では、右か左かを判断し、右ならば（ステップＳ５０５）へ、左ならば（ステップＳ５０６）へ進む。（ステップＳ５０５）では、現ページを一つ進め、データのセットアップ（無線部２０から読みこんだり、データ記憶部１０からポイントしたり、データが電子ペーパー１のＲＡＭ９５にある場合は、現ページ数を通知したりする）を行う。（ステップＳ５０６）では、現ページを一つ戻し（最初以上は戻らない）、データのセットアップ（無線部２０から読みこんだり、データ記憶部１０からポイントしたり、データが電子ペーパー１のＲＡＭ９５にある場合は、現ページ数を通知したりする）を行う。
【００３９】
（ステップＳ５０７）では、前か後かを判断し、前ならば（ステップＳ５０８）へ、後ならば（ステップＳ５０９）へ進む。（ステップＳ５０８）では、現ページを飛ばし数（この例では１０ページが設定されている）だけ進め（最終ページ以上は進めない）、データのセットアップ（無線部２０から読みこんだり、データ記憶部１０からポイントしたり、データが電子ペーパー１のＲＡＭ９５にある場合は、現ページ数を通知したりする）を行う。（ステップＳ５０９）では、現ページを飛ばし数だけ戻し（最初以上は戻らない）、データのセットアップ（無線部２０から読みこんだり、データ記憶部１０からポイントしたり、データが電子ペーパー１のＲＡＭ９５にある場合は、現ページ数を通知したりする）を行う。
【００４０】
（ステップＳ５１０）では、データのセットアップに基づいて、現ページを表示部２に表示する。（ステップＳ５１１）において、表示ボタン３が押下されると、表示を完了する。
【００４１】
以上のように、本実施形態の電子ペーパー１を用いると、種々な効果を得ることができ、以下に具体的な効果の例を示す。
（１）表示部に電子ペーパーを用いれば、その軽さから携帯性が大幅に向上する。
（２）ＲＡＭを利用することより、現ページの前後数ページ記憶しておけば、傾き検知で      瞬時に画面を切り替えることができる。
（３）画面に表示される電子情報が書き換え容易であるため、媒体（表示装置）の再利用      が可能となる。
（４）通信機器によって、外部の大容量記憶装置と連携することで、大量の文書データを      取り扱えることができる。
（５）従来のモニタに比べて、電子ペーパーは非常に見やすい。
【００４２】
（第２の実施形態）
次に、図６、７を参照して第２の実施形態について説明する。以下では、第２の実施形態の特徴点を中心に説明し、上記第１の実施形態で説明した点についての詳細な説明は省略する。
【００４３】
図６に示すように、電子ペーパー１には、表示中のページをマークする（後でマークされたページに移るため）マークボタン６が更に備えられている。そして、マークボタン６によりマークされたページは設定値記憶部８０に記憶される。
【００４４】
次に、図７のフローチャートを参照して、本実施形態の表示システムの動作について説明する。（ステップ７００）においてユーザの操作により表示ボタン３が押下されると、表示部２に初期画面が表示され、外部接続端子４から携帯電話端末５に起動が通知され、外部接続端子４からのデータ待ちになる。起動を受けた携帯通信機器は、制御部７０で現ページをバックアップがあれば、そのページを設定し、なければ、最初のページに設定する。また、制御部７０から傾き検知センサ６０に検知開始信号が送信されて、端末本体の傾きの検知が開始される。
【００４５】
（ステップＳ７０１）では、傾き検知センサ６０により、該本体の傾き前の状態を基準として傾き角度及び傾き方向が検知され、検知されれば（ステップＳ７０２）へ、されなければ（ステップＳ７１０）へ進む。
【００４６】
（ステップＳ７０２）では、制御部７０において検知結果信号の内容のうち傾き角度が、設定値記憶部８０に記憶された閾値より大きいか否かが判断される。判断の結果、閾値より小さいと判断された場合は（ステップＳ７１０）へ、閾値より大きいと判断された場合は、さらに傾き方向が確認される（ステップＳ７０３）へ進む。
【００４７】
（ステップＳ７０３）では、傾きがＹ方向ならば（ステップＳ７０４）へ、傾きがＸ方向ならば（ステップＳ７０７）へ進む。
【００４８】
（ステップＳ７０４）では、右か左かを判断し、右ならば（ステップＳ７０５）へ、左ならば（ステップＳ７０６）へ進む。（ステップＳ７０５）では、現ページを一つ進め、データのセットアップ（無線部２０から読みこんだり、データ記憶部１０からポイントしたり、データが電子ペーパー１のＲＡＭ９５にある場合は、現ページ数を通知したりする）を行う。（ステップＳ７０６）では、現ページを一つ戻し（最初以上は戻らない）、データのセットアップ（無線部２０から読みこんだり、データ記憶部１０からポイントしたり、データが電子ペーパー１のＲＡＭ９５にある場合は、現ページ数を通知したりする）を行う。
【００４９】
（ステップＳ７０７）では、前か後かを判断し、前ならば（ステップＳ７０８）へ、後ならば（ステップＳ７０９）へ進む。（ステップＳ７０８）では、設定値記憶部８０に記憶されたマークされたページですぐ先のページを現ページとして設定し（最終ページ以上は進めない）、データのセットアップ（無線部２０から読みこんだり、データ記憶部１０からポイントしたり、データが電子ペーパー１のＲＡＭ９５にある場合は、現ページ数を通知したりする）を行う。（ステップＳ７０９）では、設定値記憶部８０に記憶されたマークされたページですぐ前のページを現ページとして設定し（最初以上は戻らない）、データのセットアップ（無線部２０から読みこんだり、データ記憶部１０からポイントしたり、データが電子ペーパー１のＲＡＭ９５にある場合は、現ページ数を通知したりする）を行う。
【００５０】
（ステップＳ７１０）では、データのセットアップに基づいて、現ページを表示部２に表示する。（ステップＳ７１１）では、現在表示中のページをマークする場合（マークボタン６が押下された場合）は（ステップＳ７１２）へ、押下されなければ（ステップＳ７１３）へ進む。（ステップＳ７１２）では、マークされたことを外部接続端子４を経由して携帯電話端末５に通知し、携帯電話端末５では現在表示中のページをマークされたものとして設定値記憶部８０に記憶させる。（ステップＳ７１３）において、表示ボタン３が押下されると、表示を完了する。
【００５１】
以上のように、本実施形態の電子ペーパーブックを用いると、種々な効果を得ることができ、上記第１の実施形態で説明したものに加えて、下記の効果が得られる。
（６）本の栞に比べて、多くのページにマーキングすることができる。
【００５２】
なお、本発明に係る表示システムの構成としては、必ずしも以上に示したものに限られず、種々な構成が用いられてもよい。一例として、本実施形態では、表示画面を一方の面に備えた電子ペーパーを用いて宛先情報表示体を構成したが、表示画面を両面に備えた電子ペーパーを用いて宛先情報表示体を構成することも可能である。また、本発明の適用分野としては、必ずしも以上に示したものに限られず、本発明は種々なものに適用することが可能である。
【００５３】
また、本実施形態では、本発明に電子ペーパーブックにより行われる種々な処理が、例えばプロセッサやメモリ等を備えたハードウエア資源においてプロセッサがＲＯＭに格納された制御プログラムを実行することにより制御される構成としたが、例えば当該処理を実行するための各機能手段を独立したハードウエア回路として構成することもできる。また、本発明は上記の制御プログラムを格納したフレキシブルディスクやＣＤ−ＲＯＭ等のコンピュータにより読み取り可能な記録媒体として把握することもでき、当該制御プログラムを記録媒体からコンピュータに入力してプロセッサに実行させることにより、本発明に係る処理を遂行させることができる。
【図面の簡単な説明】
【００５４】
【図１】第１の実施形態の表示システムの外観図である。
【図２】電子ペーパーのハードウエア構成の一例を示す図である。
【図３】携帯電話端末のハードウエア構成の一例を示す図である。
【図４】携帯電話端末の回転方向を示す外観斜視図である。
【図５】第１の実施形態における表示システムの処理動作を説明するためのフローチャートである。
【図６】第２の実施形態の表示システムの外観図である。
【図７】第２の実施形態における表示システムの処理動作を説明するためのフローチャートである。
【符号の説明】
【００５５】
１      電子ペーパー
２      表示部
３      表示ボタン
４      外部接続端子
５      携帯電話端末
６      マークボタン
１０    データ記憶部
２０    無線部
３０    アンテナ
４０    入力部
５０    データ転送部
６０    傾き検知センサ
６１    Ｘ方向センサ
６２    Ｙ方向
６３    Ｚ方向
７０    制御部
８０    設定値記憶部
９１    表示デバイス
９２    表示制御部
９３    ボタン部
９４    ＣＰＵ
９５    ＲＡＭ
９６    ＲＯＭ
９７    外部接続端子
【図１】
2005165760.tif 000003
【図２】
2005165760.tif 000004
【図３】
2005165760.tif 000005
【図４】
2005165760.tif 000006
【図５】
2005165760.tif 000007
【図６】
2005165760.tif 000008
【図７】
2005165760.tif 000009